(57)【特許請求の範囲】
【請求項１】
照射対象生物の皮膚における特定の領域に光を照射するための光照射器であって、
前記皮膚に前記光を照射する光源と、
前記皮膚と前記光源との間に配置されることにより、前記皮膚における前記特定の領域以外の領域を前記光から遮蔽する光遮蔽部材と、
前記光源及び前記光遮蔽部材が搭載された、可撓性を有する基台と、を備えており、
前記光遮蔽部材には、前記特定の領域に対応した開口部を形成することが可能であり、前記光は、前記開口部を通過して前記特定の領域に照射され、
前記光遮蔽部材は、少なくとも光遮蔽材および接着材から構成されており、
前記光遮蔽材の厚さが、接着材の厚さよりも厚いことを特徴とする光照射器。
【請求項２】
前記光源は、面発光光源であることを特徴とする請求項１に記載の光照射器。
【請求項３】
前記基台上には、前記光源として、ＬＥＤチップが平面視で格子状に形成されていることを特徴とする請求項１又は２に記載の光照射器。
【請求項４】
前記光源と前記基台とが一体となって光照射モジュールを形成しており、
前記光遮蔽部材の端部が、前記光照射モジュールの端部から突出していることを特徴とする請求項１から３のいずれか１項に記載の光照射器。
【請求項５】
前記光照射モジュールの側面が、前記光遮蔽部材の端部によって覆われていることを特徴とする請求項４に記載の光照射器。
【請求項６】
前記光照射モジュールの裏面が、前記光遮蔽部材の一部によって覆われていることを特徴とする請求項４又は５に記載の光照射器。
【請求項７】
前記光遮蔽部材に前記光源から照射された前記光が入射した場合において、透過光が入射光の３０％未満であることを特徴とする請求項１から６のいずれか１項に記載の光照射器。
【請求項８】
前記光照射器が前記照射対象生物の身体におけるいずれかの部位に装着されたことを感知するためのセンサを更に備えており、
前記センサは、前記光遮蔽部材における前記皮膚と対向する面の少なくとも一部に配置されていることを特徴とする請求項１から７のいずれか１項に記載の光照射器。
【請求項９】
前記光遮蔽部材は、絶縁性を有することを特徴とする請求項１から８のいずれか１項に記載の光照射器。
【請求項１０】
前記光遮蔽部材の一部が、前記光源から照射された前記光に対して透過性を有する材料で形成されていること、又はメッシュ状であることを特徴とする請求項１から９のいずれか１項に記載の光照射器。
【請求項１１】
照射対象生物の皮膚における特定の領域に光を照射するための光照射器であって、
前記皮膚に前記光を照射する光源と、
前記皮膚と前記光源との間に配置されることにより、前記皮膚における前記特定の領域以外の領域を前記光から遮蔽する光遮蔽部材と、
前記光源及び前記光遮蔽部材が搭載された、可撓性を有する基台と、を備えており、
前記光遮蔽部材には、前記特定の領域に対応した開口部を形成することが可能であり、前記光は、前記開口部を通過して前記特定の領域に照射され、
前記光遮蔽部材には、前記特定の領域を視認するための孔が形成されていることを特徴とする光照射器。
【請求項１２】
照射対象生物の皮膚における特定の領域に光を照射するための光照射器であって、
前記皮膚に前記光を照射する光源と、
前記皮膚と前記光源との間に配置されることにより、前記皮膚における前記特定の領域以外の領域を前記光から遮蔽する光遮蔽部材と、
前記光源及び前記光遮蔽部材が搭載された、可撓性を有する基台と、を備えており、
前記光遮蔽部材には、前記特定の領域に対応した開口部を形成することが可能であり、前記光は、前記開口部を通過して前記特定の領域に照射され、
前記光遮蔽部材と前記光源との間には、接着材又はフィルム状の部材が設けられており、
前記接着材および前記フィルム状の部材のそれぞれは、透明であることを特徴とする光照射器。
【請求項１３】
前記光遮蔽部材には、前記光遮蔽部材と前記皮膚とが接触していることを確認することができる装着感知センサが備えられていることを特徴とする請求項１から１２のいずれか１項に記載の光照射器。
【請求項１４】
前記光遮蔽部材の一部には、面ファスナが形成されていることを特徴とする請求項１から１３のいずれか１項に記載の光照射器。
【請求項１５】
前記光遮蔽部材には、該光遮蔽部材から取り外すことが可能な、２つ以上の取り外し部が形成されており、
前記２つ以上の取り外し部のうち、いずれか１つ以上の取り外し部を前記光遮蔽部材から取り外すことによって、前記特定の領域に対応した開口部が形成されることを特徴とする請求項１から１４のいずれか１項に記載の光照射器。
【請求項１６】
前記光遮蔽部材には、前記特定の領域を視認するための孔が形成されていることを特徴とする請求項１に記載の光照射器。
【請求項１７】
前記光遮蔽部材と前記光源との間には、接着材又はフィルム状の部材が設けられており、
前記接着材および前記フィルム状の部材のそれぞれは、透明であることを特徴とする請求項１に記載の光照射器。
【発明の詳細な説明】
【技術分野】
【０００１】
本発明は、光照射治療及び理美容等に用いられる光照射器及び光遮蔽部材に関する。
【背景技術】
【０００２】
光線力学治療（Photo Dynamic Therapy；ＰＤＴ）は、異常細胞や腫瘍に親和性をもつ光感受性物質に特定の波長の光を照射することにより起こる化学反応で活性酸素等を生成し、その殺菌力により異常細胞及び腫瘍を壊死させる治療法である。正常な細胞に損傷を与えない治療法であることから、ＱＯＬ（Quality Of Life）の観点で最近非常に注目されている。【０００３】
ＰＤＴは、新生児黄疸、乾癬、ニキビなどの疾患治療、痛みの緩和、美容理容等、多様な目的で利用されており、例えば、新生児黄疸治療には緑色光及び青白色光、乾癬治療には紫外光、ニキビ治療には青色光、赤色光及び黄色光のそれぞれが用いられている。このように、ＰＤＴを行う際には、治療目的に応じて適切な波長の光を照射する光源が用いられている。【０００４】
近年では、ＰＤＴに使用される光源としてレーザが主流となっている。その理由としては、レーザは単色光であり吸収帯が狭い光感受性物質を効果的に励起できること、光強度密度が高いこと、パルス光を発生できること等が挙げられる。しかし、レーザ光は通常スポット光であり、照射可能範囲が狭く、皮膚疾患等の治療には適していない。【０００５】
又、最近では、天然アミノ酸である５−アミノレブリン酸（ＡＬＡ）の全身投与と波長４１０ｎｍのＬＥＤ光を用いたＰＤＴで、メチシリン耐性黄色ブドウ球菌（ＭＲＳＡ）感染皮膚潰瘍の治療に成功した事例が報告されている。【０００６】
ＡＬＡは、ヘム生合成経路においてポルフィリン系化合物の前駆物質であり、それ自体に光増感性はない。生理的には、一定量のヘムが産生されると、ネガティブ・フィードバック機構によってＡＬＡの生合成が阻害される。しかし、外因性のＡＬＡが過剰に投与されると、ネガティブ・フィードバック機構が無効となり、ヘム生合成における律速酵素であるフェロキラターゼが枯渇し、生体内因性のポルフィリン系化合物、特にプロトポルフィリンＩＸ（ＰｐＩＸ）が細胞内に多量に蓄積される。ＡＬＡ及びＬＥＤ光を用いたＰＤＴにおいては、このＰｐＩＸを光増感性物質として利用する。この治療法は、新たな耐性菌を生じる事がないために、耐性菌治療に難渋する現代医療における新たな細菌感染の治療法として期待されている。【０００７】
上述のようなＬＥＤ光を用いたＰＤＴを普及させるため、種々の３次元的形状及びサイズを有する患部に対して、均一に治療光を照射することができ、望ましくは患部以外に治療光を照射することがない、若しくは少ない光照射装置の実現が要請されている。【０００８】
従来から用いられている、エキシマーランプ及びアーク灯等の光源の場合には、固定された光源に対して、一定の距離を置いて患部を配置し、治療光を照射する。しかし、これらの光源を用いると、照射面積が大き過ぎて患部以外の正常部位にも治療光が照射されるため、該正常部位に種々の副作用が生じる懸念がある。したがって、正常部位への治療光の照射を防ぐための遮蔽対策が別途必要となり、治療に時間と手間がかかることとなる。例えば、顔の一部にできた疾患を治療する場合、正常部位である目を保護するアイマスク（目隠し）が必要となる。更に、顔の正常部位を保護するために、顔の患部のみを露出するようにしたマスクも必要となる。【０００９】
又、患者は、治療のために身体を拘束された状態で長時間不動の姿勢を保つ必要が有り、身体に過大な負荷がかかり疲労が蓄積することとなる。更には、患部が、例えば腕の一部又は足の一部のように、湾曲した表面を有する部位の場合、ランプ型の光源を用いた装置では、該部位の表側、裏側、あるいは横側のいずれを照射するかによっては、患者に無理な姿勢を強いることになりかねない。【００１０】
又、ランプ型の光源を用いた装置に対する、湾曲した表面を有する患部の角度及び距離によって、該患部を構成する部位毎に照射強度が異なるので、上記患部の全体に対して均一な照射強度の治療光を照射するのが難しい場合が生じる。更に、ランプ型の光源を用いた装置は、電源及び冷却装置等の付属装置も多く、大型であるため、設置するために広いスペースを要すると共にその価格も高額となる。【００１１】
上述の各問題点を解決するために、患部を直接覆って治療光の照射を行うことができる、幾つかの技術が提案されている。例えば、特許文献１には、発光光源となるＬＥＤがフレキシブル基板上に複数配置された照射装置であって、患部に巻きつけて光照射することができる照射装置が開示されている。又、特許文献２には、発光光源となるＬＥＤをフレキシブル基板上に配置し、患部とＬＥＤとの間に光透過物質を挟み、これによりＬＥＤが発する光を患部に照射することができる光照射装置が開示されている。【００１２】
又、特許文献３には、レーザ光あるいはパルス化された高輝度白色光等を皮膚表面に照射することによって皮膚の着色細胞組織を除去する光治療器に使用される、白色テープが開示されている。該白色テープは、皮膚表面に剥離可能に貼着できると共に、皮膚の患部の大きさ、形状及び数に応じて穴あけができる。
【先行技術文献】
【特許文献】
【００１３】
【特許文献１】国際公開公報「ＷＯ２００１／０１４０１２（２００１年３月１日公開）」
【特許文献２】国際公開公報「ＷＯ２０１２／０２３０８６（２０１２年２月２３日公開）」
【特許文献３】日本国公開特許公報「特開２００５−３１９２１０号公報（２００５年１１月１７日公開）」
【発明の概要】
【発明が解決しようとする課題】
【００１４】
しかしながら、特許文献１に開示された照射装置は、光源と、該光源を患部に固定する固定具とが一体化されている為、胴、腕又は太腿等の治療部位に応じて、異なるサイズの照射装置を作り分ける必要がある。又、治療部位の表面積が小さい場合には、該治療部位の周辺を含むかなり広い領域の皮膚が光照射を受ける。又、治療毎に光源と固定具とを消毒しなければならず、手間がかかる。更に、光源を冷却するための冷却水を循環させる装置が別途必要であり、コストが高くなってしまう。【００１５】
又、特許文献２に開示された光照射装置は、ＬＥＤ光の照射時において光源を患部から独立させて使用するものであり、特許文献２には、光源を患部に固定する技術については開示されていない。上記光照射装置の構成では、治療中に患者が光源に触って、光源を故障させたり、位置を動かしたりしてしまう虞がある。更に、特許文献３に開示された白色テープは、患部の大きさを写しとる作業が別途必要であり、作業に手間がかかる。【００１６】
本発明の一態様は、上記の各問題点に鑑みてなされたものであり、その目的は、例えば腕、脚等の必ずしも固定具を必要としない身体の部位に対して、安全かつ簡易に、所望の光照射効果を安定的に得ることができる装置を実現することにある。
【課題を解決するための手段】
【００１７】
上記の課題を解決するために、本発明の一態様に係る光照射器は、照射対象生物の皮膚における特定の領域に光を照射するための光照射器であって、前記皮膚に前記光を照射する光源と、前記皮膚と前記光源との間に配置されることにより、前記皮膚における前記特定の領域以外の領域を前記光から遮蔽する光遮蔽部材と、前記光源及び前記光遮蔽部材が搭載された、可撓性を有する基台と、を備えており、前記光遮蔽部材には、前記特定の領域に対応した開口部を形成することが可能であり、前記光は、前記開口部を通過して前記特定の領域に照射される。【００１８】
上記の課題を解決するために、本発明の一態様に係る光遮蔽部材は、照射対象生物の皮膚と、前記皮膚に光を照射する光源との間に配置されることにより、前記皮膚における特定の領域以外の領域を前記光から遮蔽するための光遮蔽部材であって、前記光遮蔽部材には、該光遮蔽部材から取り外すことが可能な、２つ以上の取り外し部が形成されており、前記２つ以上の取り外し部のうち、いずれか１つ以上の取り外し部を前記光遮蔽部材から取り外すことによって、前記特定の領域に対応した開口部が形成される。
【発明の効果】
【００１９】
本発明の一態様に係る光照射器及び光遮蔽部材によれば、安全に、かつ照射対象生物の負担が軽減された光照射を行うことができる。又、皮膚における所望の領域以外の領域への光照射を防止しつつ、該所望の領域への光照射を確実かつ簡易に行うことができる。
【図面の簡単な説明】
【００２０】
【図１】本発明の実施形態１に係る光治療器の表面の構成を示す模式図である。
【図２】本発明の実施形態１に係る光治療器の裏面の構成を示す模式図である。
【図３】（ａ）は、本発明の実施形態１に係る光治療器の構成を示す断面模式図である。（ｂ）は、本発明の実施形態１に係る光治療器における、第１光遮蔽部を剥がし取った状態を示す断面模式図である。
【図４】（ａ）は、本発明の実施形態１に係る光照射モジュールをアクリル棒に巻き付けた状態を示す側面模式図である。（ｂ）は、本発明の実施形態１に係る光照射モジュールをアクリル棒に巻き付けた状態を示す正面模式図である。
【図５】本発明の実施形態１に係る光遮蔽部材の構成を示す断面模式図である。
【図６】（ａ）〜（ｅ）は、本発明の実施形態２に係る光治療器を構成する光遮蔽部材の各例を示す模式図である。
【図７】本発明の実施形態３に係る光治療器の表面の構成を示す模式図である。
【図８】本発明の実施形態３に係る光治療器の裏面の構成を示す模式図である。
【図９】本発明の実施形態３に係る光治療器の構成の第１例を示す断面模式図である。
【図１０】本発明の実施形態３に係る光治療器の構成の第２例を示す断面模式図である。
【図１１】本発明の実施形態４に係る光治療器の構成を示す断面模式図である。
【図１２】（ａ）〜（ｆ）は、本発明の実施形態４に係る光治療器の使用方法の第１例を示す説明図である。
【図１３】（ａ）〜（ｈ）は、本発明の実施形態４に係る光治療器の使用方法の第２例を示す説明図である。
【図１４】本発明の実施形態５に係る光治療器の構成を示す断面模式図である。
【図１５】本発明の実施形態６に係る光治療器の構成を示す模式図である。
【図１６】本発明の実施形態７に係る光遮蔽部材の構成を示す断面模式図である。
【図１７】本発明の実施形態１に係る光照射モジュールの構成を示す平面模式図である。
【図１８】（ａ）は、本発明の実施形態１に係る光治療器とLEDチップとの位置を示す断面模式図である。（ｂ）は、平面視における、本発明の実施形態１に係る光治療器とＬＥＤチップとの位置を示す模式図である。
【図１９】本発明の実施形態１に係る光治療器における、光遮蔽部材とＬＥＤチップと保護樹脂との位置を示す模式図である。
【図２０】本発明の実施形態１に係る光治療器における、光照射モジュールと保護樹脂とスペーサとの位置を示す模式図である。
【図２１】本発明の実施形態８に係る光治療器の構成を示す断面模式図である。
【図２２】本発明の実施形態９に係る光治療器の構成を示す断面模式図である。
【図２３】本発明の実施形態１０に係る光治療器の構成を示す断面模式図である。
【図２４】本発明の実施形態１１に係る光治療器の構成を示す断面模式図である。
【図２５】本発明の実施形態１１に係る光治療器の変形例の構成を示す断面模式図である。
【図２６】本発明の実施形態１１に係る光治療器の変形例の構成を示す断面模式図である。
【発明を実施するための形態】
【００２１】
以下に、比較的小面積の皮膚疾患に対して、本発明の一態様に係る光照射器を用いて光照射治療（以下、「光治療」と略記する）を実施する場合を例に挙げて、本発明の各実施形態を説明する。尚、以下では、上記光照射器は、柔軟性のある基板の表面に所定の波長を発するＬＥＤを実装し、該ＬＥＤを点灯できる様にした機器を想定しているが、これに限ったものではない。例えば本発明の一態様に係る光照射器は、ＬＥＤに代えてレーザ、有機ＥＬ等も実装可能である。
【００２２】
なお、比較的小面積の皮膚疾患に対して面内均一性の高い治療光を照射することを考えて、本発明の一態様に係る光照射器は、面発光できる光照射モジュール、つまり面発光光源を備えていることが望ましい。
【００２３】
又、以下では、治療の為の薬剤が患部（皮膚における特定の領域）に塗布されているか、あるいは事前に服用されていることを前提とするとともに、患部全体に対して均一に光照射する為に、ＬＥＤと患部とが適切な距離に保たれていることを前提としている。
【００２４】
又、薬剤、治療に使用する光波長、及び基板の具体的な内容等は本発明の一態様に係る光照射器の構成には影響を与えない為、以下では詳述しない。更に、本明細書において、「照射対象生物」とは人に限られず、動物も「照射対象生物」に含まれるものとする。
【００２５】
〔実施形態１〕
本発明の一実施形態について、図１〜図５、図１７〜図２０に基づいて説明すれば、以下の通りである。以下では、光照射モジュール２におけるＬＥＤチップ１４（光源：図１７参照）が搭載されている面を表面とし、上記ＬＥＤチップ１４が搭載されている面と反対側の面を裏面として説明する。
【００２６】
又、図１７に示すように、フレキシブル基板１５(基台)には、ＬＥＤチップ１４が実装された複数のＬＥＤ実装領域１７が平面視で格子状に形成されている。隣り合う２つのＬＥＤ実装領域１７間は絶縁されているとともに、該２つのＬＥＤ実装領域１７は配線１６により接続されている。尚、配線１６にはワイヤボンディング接続も含まれる。
【００２７】
ここで、図１８を用いて、本発明の実施形態１に係る光治療器１（光照射器）における、光遮蔽部材３とＬＥＤチップ１４との位置について説明する。図１８の（ａ）及び（ｂ）に示すように、光照射モジュール２にはＬＥＤチップ１４が実装されており、ＬＥＤチップ１４の全体が光遮蔽部材３によって覆われている。又、光遮蔽部材３は光遮蔽材３５と接着材３６で構成されており、接着材３６の厚みはＬＥＤチップ１４の厚みよりも大きい。このような構成とすることによりＬＥＤチップ１４の凹凸を緩和でき、光遮蔽材３５の表面が滑らかになるので、皮膚に対して光遮蔽部材３を接触させ易くなっている。
【００２８】
又、光遮蔽材３５の最外周部は最外周のＬＥＤチップ１４の外側に位置する。このような配置にすることで、光照射範囲（図３の（ｂ）参照：開口部９）を最大とした場合に複数のＬＥＤチップ１４の全体で最大照射効率を得ることができる。
【００２９】
又、図１９を参照して、光治療器１における光遮蔽部材３とＬＥＤチップ１４と保護樹脂１８との位置について説明する。図１９に示すように、光照射モジュール２にはＬＥＤチップ１４が実装されている。また、ＬＥＤチップ１４は保護樹脂１８に覆われており、保護樹脂１８は光遮蔽部材３に覆われている。接着材３６は、保護樹脂１８を接着できるような材料が選ばれる。
【００３０】
なお、保護樹脂１８には波長変換部材が含まれていても良い。あるいは、保護樹脂１８の上に波長変換部材を含む樹脂シートが備えられていても良い。この場合、波長変換部材を含む樹脂シートは光遮蔽部材３に覆われることになる。
【００３１】
又、図２０に示すように、患部８（図２０において不図示）と光照射モジュール２とを一定距離離間するよう、光照射モジュール２の発する光に対して透明性を有するスペーサ２０を備えていても良い。これにより、光照射モジュール２の発する光の面内均一性を高めることが可能である。
【００３２】
さらに、保護樹脂１８には波長変換部材が含まれていても良いし、保護樹脂１８の上に波長変換部材を含む樹脂シートが備えられていても良い。あるいは、スペーサ２０に波長変換部材が含まれていても良いし、さらに、スペーサ２０上に波長変換部材を含む樹脂シートが備えてられていても良い。
【００３３】
＜光治療器の構成＞
図１〜図５を参照して、本発明の実施形態１に係る光治療器１の構成について説明する。図１は、光治療器１の表面の構成を示す模式図である。図２は、光治療器１の裏面の構成を示す模式図である。図３の（ａ）は、光治療器１の構成を示す断面模式図であり、図３の（ｂ）は、本発明の実施形態１に係る光治療器における、第１光遮蔽部を剥がし取った状態を示す断面模式図である。尚、図３は、図１及び図２に示す光治療器１のＡ−Ａ’線の断面図に相当する。
【００３４】
又、図４の（ａ）は、光照射モジュール２をアクリル棒１３に巻き付けた状態を示す側面模式図であり、図４の（ｂ）は、光照射モジュール２をアクリル棒１３に巻き付けた状態を示す正面模式図である。図５は、光遮蔽部材３の構成を示す断面模式図である。図７は、光照射モジュール２の構成を示す平面模式図である。
【００３５】
光治療器１は、照射対象生物（不図示）の患部８（図１３等参照）にＬＥＤ光（光）を照射することにより、照射対象生物の皮膚疾患を光治療するための機器である。図１〜図３に示すように、光治療器１は、光照射モジュール２の表面に光遮蔽部材３が設けられているとともに、入力線４によって光照射モジュール２と電源部５とが接続されている。
【００３６】
（光照射モジュール）
光照射モジュール２は、可撓性を有するフレキシブル基板１５にＬＥＤチップ１４が実装され、かつフレキシブル基板１５とＬＥＤチップ１４とが一体となって形成された、平面視で略正方形状の板状部材である。尚、光照射モジュール２は、ＬＥＤ、レーザチップ、又はレーザパッケージがフレキシブル基板と一体化されたものでも良いし、有機ＥＬ、ＬＥＤ、又はレーザと導光板、又は拡散板等を組み合わせたものでも良い。更に、ＬＥＤ光の波長については、意図する光治療及び皮膚疾患の程度に応じて、適した波長を適宜選択することができる。
【００３７】
照射対象生物の各部位は平坦でない面を有していることから、該平坦でない面を有する患部８に対してＬＥＤ光を照射する場合を想定し、光照射モジュール２には可撓性を持たせている。具体的には、図４の（ａ）及び（ｂ）に示すように、光照射モジュール２は、直径Ｒ＝５ｃｍの円柱状のアクリル棒１３に対して、その側面に密着させつつ巻き付けることが可能な程度の可撓性を有している。
【００３８】
ここで、光照射モジュール２は、上記円柱状のアクリル棒１３に巻き付けた際、例えば不点灯、断線などによる機能喪失が起こらないような配線１６・光照射モジュール２の構成部品の配置となっていることが望ましい。又、光照射モジュール２は、直径１ｃｍの円柱状のアクリル棒１３に対しても巻き付けることが可能であるとともに、上記の機能喪失が起こらないことがより望ましい。
【００３９】
尚、光治療器１は、上述のフレキシブル基板１５に代えて、ガラス、フィルム基板、包帯又は布を備え、これらの基台にＬＥＤチップ１４が搭載されていても良い。換言すれば、光治療器１は、ＬＥＤチップ１４とフレキシブル基板１５とが一体となった光照射モジュール２を備えている必要は必ずしもなく、ＬＥＤチップ１４をはじめとする何らかの光源が搭載された、可撓性を有する基台を備えていれば良い。
【００４０】
（光遮蔽部材）
光遮蔽部材３は、照射対象生物の皮膚とＬＥＤチップ１４との間に配置されることにより、患部８以外の正常部位（皮膚における特定の領域以外の領域）をＬＥＤ光から遮蔽する、平面視で略正方形状の板状部材である。図１〜図３に示すように、光遮蔽部材３には、第１光遮蔽部３１、第２光遮蔽部３２、第３光遮蔽部３３、第４光遮蔽部３４（第１〜第４光遮蔽部３１・３２・３３・３４：取り外し部）が形成されている。
【００４１】
光遮蔽部材３は、光照射モジュール２の表面に密着して配置されている。又、光遮蔽部材３の厚さは光照射モジュール２の厚さよりも若干薄く、光遮蔽部材３の平面視の大きさは、光照射モジュール２の平面視の大きさよりも小さい。言い換えれば、光照射モジュール２の表面には、光遮蔽部材３によって覆われていない領域が存在する。
【００４２】
第１光遮蔽部３１は、第１〜第４光遮蔽部３１・３２・３３・３４のうち、平面視で最も光遮蔽部材３の内部に形成されている、平面視で略正方形状の板状部材である。第２〜第４光遮蔽部３２・３３・３４は平面視でロ字形状の板状部材であり、それぞれ第１光遮蔽部３１を取り囲んでいるとともに、この順番で光照射モジュール２のより端部側に配置されている。具体的には、図３の（ｂ）に示すように、第１光遮蔽部３１を剥がし取ることにより、開口部９を形成することができる。
【００４３】
第１〜第４光遮蔽部３１・３２・３３・３４は、患部８の大きさ・形状に応じて、それらのうちの１つ以上を光照射モジュール２から剥がし取る（取り外す）ことが可能であり、剥がし取る光遮蔽部の種類・個数によって、様々な大きさ・形状の開口部９を形成することができる。言い換えれば、開口部９は患部８の大きさ・形状に対応して形成され、ＬＥＤ光はこの開口部９を通過して患部８に照射される。
【００４４】
第４光遮蔽部３４は、剥がし取ってしまうと、光照射モジュール２から発せられるＬＥＤ光（治療光）を遮蔽する部分が無くなってしまう。そのため、正常部位をＬＥＤ光の照射から保護する観点から、第４光遮蔽部３４については、剥がし取ることができないように光照射モジュール２に対して固定されていれば、より好適である。
【００４５】
尚、本実施形態では、光遮蔽部材３に、第１光遮蔽部３１、第２光遮蔽部３２、第３光遮蔽部３３、第４光遮蔽部３４という４つの光遮蔽部が形成されている例について説明したが、光遮蔽部材３に４つの光遮蔽部が形成されている必要はない。ただし、４つより多くの光遮蔽部が形成されていることによって、様々な患部のサイズにより対応できることは言うまでもない。又、第１光遮蔽部３１、第２光遮蔽部３２、第３光遮蔽部３３、第４光遮蔽部３４をこの順番通りに剥がし取っていく必要は必ずしもない。
【００４６】
更に、第１〜第４光遮蔽部３１・３２・３３・３４に用いる材料は、光反射材（アルミ等）、光吸収材（遮光フィルム等）、又は生体接合性接着剤等の複合材料を想定しているが、これらの複合材料に限定されない。
【００４７】
又、光遮蔽部材３は、図５に示すように光遮蔽材３５と接着材３６とから構成されている。光遮蔽材３５は、光照射モジュール２の発するＬＥＤ光の強度を、実質的に安全なレベルにまで弱める効果があり、具体的には、光照射モジュール２と対向する側の面が、上記ＬＥＤ光に対して、反射、屈折、及び吸収等を行うことができる。実質的に安全なレベルについては、日本工業規格JISC7550（ランプ及びランプシステムの光生物学的安全性）、JISC6802（レーザ製品の安全基準）等を参考にすることができる。接着材３６は、光遮蔽材３５と光照射モジュール２とを接着することにより、光遮蔽部材３を光照射モジュール２に対して固定する。尚、光遮蔽部材３にＬＥＤ光が入射した際に、透過光が入射光の３０％未満であることが望ましい。
【００４８】
光遮蔽材３５は、第１光遮蔽材３５１、第２光遮蔽材３５２、第３光遮蔽材３５３及び第４光遮蔽材３５４で構成されており、接着材３６は、第１接着材３６１、第２接着材３６２、第３接着材３６３及び第４接着材３６４で構成されている。又、第１光遮蔽材３５１と第１接着材３６１とで第１光遮蔽部３１が、第２光遮蔽材３５２と第２接着材３６２とで第２光遮蔽部３２が、第３光遮蔽材３５３と第３接着材３６３とで第３光遮蔽部３３が、第４光遮蔽材３５４と第４接着材３６４とで第４光遮蔽部３４が、それぞれ構成されている。
【００４９】
更に、光遮蔽材３５の厚さは、接着材３６の厚さよりも厚いことが望ましく、０．１〜１０ｍｍ程度であることが望ましい。光遮蔽部材３が必要以上に厚いと、平坦でない面を有する患部に光遮蔽部材３を密着させることが難しくなる。一方、光遮蔽部材３が必要以上に薄いと、その強度及び光遮蔽効果等に支障が生じる。
【００５０】
ここで、光遮蔽部材３は、照射対象生物の皮膚に密着するため、いわゆる生体適合性を有することが望ましい。すなわち、光遮蔽部材３の表面（照射対象生物の皮膚と密着する面）は、感染症予防の観点から、光治療器１を使用するまで保護フィルム又は保護紙等で保護されていることが望ましい。
【００５１】
又、光遮蔽部材３の表面は接着性を有することが望ましい。接着性を有することにより、照射対象生物の患部８又はその他の部位に光治療器１を取り付けることができ、照射対象生物が動いた際に光治療器１が患部等から外れることを防ぐことができる。この場合、光遮蔽部材３の表面は、接着性を有する面を露出していることとなり、該表面にゴミ等が付着する虞がある。この虞を回避する観点からも、光遮蔽部材３の表面は、光治療器１を使用するまで保護フィルムや保護紙等で保護されていることが望ましい。
【００５２】
又、第１〜第４光遮蔽部３１・３２・３３・３４のいずれか１つ以上を剥離して開口部９を形成する際に、光遮蔽部材３を医療従事者又は照射対象生物（この場合、人）が触ることが考えられる。したがって、感染症予防の観点から、光遮蔽部材３の表面は上記の保護フィルム等に加えて、更に保護フィルム又は保護紙等で保護されていることが望ましい。つまり、光遮蔽部材３の表面は、少なくとも２枚の保護フィルム又は保護紙等で保護されていることがより望ましい。
【００５３】
更に、光遮蔽部材３の裏面（光照射モジュール２と対向する側の面）に貼り付けられた保護フィルム又は保護紙等は、第１〜第４光遮蔽部３１・３２・３３・３４のそれぞれに合わせた形でミシン目を形成しても良い。あるいは、光遮蔽部材３の裏面には、第１〜第４光遮蔽部３１・３２・３３・３４のいずれか１つ以上を剥離することで形成される各開口部９のそれぞれに合わせた形の、保護フィルム又は保護紙等を重ね合わせても良い。
【００５４】
又、第１〜第４光遮蔽部３１・３２・３３・３４のいずれか１つ以上を剥離した後に、ＬＥＤ光に対して実質的に透明な、例えば透過率が８０％以上、望ましくは９０％以上の接着剤もしくは任意の透過材が光照射モジュール２に残るようにしても良い。これにより、上記４つの光遮蔽部を光照射モジュール２の表面から直に剥がすことがなくなり、その結果、光照射モジュール２の表面の損傷を低減することができる。又例えば、上記４つの光遮蔽部を剥離した後に、任意のフィルタ効果を有するフィルム状の部材が光照射モジュール２の表面に残るようにしても良い。これにより、照射対象生物にとって有害な光を除去することが可能となる。
【００５５】
又、図５では第１光遮蔽材３５１、第２光遮蔽材３５２、第３光遮蔽材３５３及び第４光遮蔽材３５４の表面高さは同じになっている。これらの表面高さが同じであると、上記４つの光遮蔽材のいずれか１つ以上を剥離した際に、患部から光照射モジュール２までの距離が同じになるため、都合が良い。
【００５６】
又、光遮蔽部材３の厚さを該光遮蔽部材３の各部位に応じて適宜変えることにより、平坦でない面を有する患部に光治療器１を装着した際に、光照射モジュール２が患部に接触しないようにすることができる。このようにすることで、光治療器１が、患部に触ることができない皮膚疾患、又は痛みを伴う皮膚疾患を治療する場合に好適となる。
【００５７】
又、光遮蔽部材３は、絶縁性を有していることが望ましい。光遮蔽部材３は照射対象生物の皮膚に接触するため、光遮蔽部材３に絶縁性を持たせることで光治療を安全に行うことができる。更に、光遮蔽部材３は、断熱性を有していることが望ましい。光治療器１がＬＥＤ光の照射等に起因して熱を発する場合、光遮蔽部材３に断熱性を持たせることで照射対象生物の皮膚からその熱を遮断し、照射対象生物が人の場合はその人が不快な熱さを感じることなく、快適に光治療を行うことができる。
【００５８】
（入力線及び電源部）
電源部５は入力線４を通して、光照射モジュール２に電力を供給する。尚、光遮蔽部材３の表面は照射対象生物の皮膚と接触する可能性があることから、滅菌処理されていることが望ましい。更に、光照射モジュール２及び入力線４も照射対象生物の皮膚と接触する可能性があることから、滅菌処理されていることが望ましい。特に、光遮蔽部材３については、異なる照射対象生物間で使い回しを行うことは感染症予防の点からも避けるべきであり、１回の使用毎に使い捨てるのが望ましい。感染症予防の徹底化の観点からは、さらに光照射モジュール２及び入力線４も含めて、１回の使用毎に使い捨てるのがより望ましい。
【００５９】
〔実施形態２〕
本発明の他の実施形態について、図６に基づいて説明すれば、以下の通りである。尚、説明の便宜上、上記実施形態にて説明した部材と同じ機能を有する部材については、同じ符号を付記し、その説明を省略する。又、本実施形態では、実施形態１との相違点、特に光遮蔽部材３ａ
の形状について説明する。図６の（ａ）〜（ｅ）は、本発明の実施形態２に係る光治療器１ａを構成する光遮蔽部材３ａの各例を示す模式図である。尚、光治療器１ａは光治療器１の光遮蔽部材３を光遮蔽部材３ａに置き換えたものであるため、図示しない。
【００６０】
＜光遮蔽部材の形状例＞
図６の（ａ）〜（ｅ）を参照して、本発明の実施形態２に係る光治療器１ａを構成する光遮蔽部材３ａの形状例について説明する。光治療器１ａを構成する光遮蔽部材３ａとしては、まず、図６の（ａ）に示すような、平面視で円形状の板状部材であっても良い。光遮蔽部材３ａは、第１光遮蔽部３１ａ、第２光遮蔽部３２ａ、第３光遮蔽部３３ａ及び第４光遮蔽部３４ａで構成されている。
【００６１】
第１光遮蔽部３１ａは、第１〜第４光遮蔽部３１ａ・３２ａ・３３ａ・３４ａのうち、平面視で最も光遮蔽部材３ａの内部に形成されている、平面視で円形状の板状部材である。第２〜第４光遮蔽部３２ａ・３３ａ・３４ａは平面視でＯ字形状の板状部材であり、それぞれ第１光遮蔽部３１ａを取り囲んでいるとともに、この順番で光照射モジュール２のより端部側に配置されている。
【００６２】
第１〜第４光遮蔽部３１ａ・３２ａ・３３ａ・３４ａは、それらのうちの１つ以上を光照射モジュール２から剥がし取ることによって、患部８の大きさ・形状に応じた円形状・Ｏ字形状の開口部９を形成することが可能である。尚、上記４つの光遮蔽部のそれぞれが、平面視で同じ中心を持つ必要はない。
【００６３】
次に、光治療器１ａを構成する光遮蔽部材３ａとして、図６の（ｂ）に示すような、平面視で楕円形状の板状部材であっても良い。光遮蔽部材３ａは、第１光遮蔽部３１ｂ、第２光遮蔽部３２ｂ、第３光遮蔽部３３ｂ及び第４光遮蔽部３４ｂで構成されている。第１〜第４光遮蔽部３１ｂ・３２ｂ・３３ｂ・３４ｂは、それらのうちの１つ以上を光照射モジュール２から剥がし取ることによって、患部８の大きさ・形状に応じた楕円形状の開口部９を形成することが可能である。尚、上記４つの光遮蔽部のそれぞれが、平面視で同じ中心を持つ必要はない。
【００６４】
同様に光治療器１ａを構成する光遮蔽部材３ａとして、図６の（ｃ）に示すような、平面視で六角形形状の板状部材であっても良い。光遮蔽部材３ａは、第１光遮蔽部３１ｃ、第２光遮蔽部３２ｃ、第３光遮蔽部３３ｃ及び第４光遮蔽部３４ｃで構成されている。第１〜第４光遮蔽部３１ｃ・３２ｃ・３３ｃ・３４ｃは、それらのうちの１つ以上を光照射モジュール２から剥がし取ることによって、患部８の大きさ・形状に応じた六角形形状の開口部９を形成することが可能である。尚、上記４つの光遮蔽部のそれぞれが、平面視で同じ中心を持つ必要はない。又、六角形に限らず多角形形状の開口部９を形成することも可能である。
【００６５】
尚、上述の第１光遮蔽部３１ｂ・３１ｃは、第１〜第４光遮蔽部３１ｂ・３２ｂ・３３ｂ・３４ｂ、及び３１ｃ・３２ｃ・３３ｃ・３４ｃのそれぞれにおいて、平面視で最も光遮蔽部材３ａの内部に形成されている。
【００６６】
同様に光治療器１ａを構成する光遮蔽部材３ａとして、図６の（ｄ）に示すような、平面視で円形状の板状部材であっても良い。光遮蔽部材３ａは、第１光遮蔽部３１ｄ、第２光遮蔽部３２ｄ、第３光遮蔽部３３ｄ及び第４光遮蔽部３４ｄで構成されている。第１光遮蔽部３１ｄは、第２光遮蔽部３２ｄと第４光遮蔽部３４ｄとに隣接しており、かつ第３光遮蔽部３３ｄと対向する位置に形成されている。４つの光遮蔽部をこのように形成することで、複数の領域に跨る患部８の形状に応じた開口部９を形成することができる。又、光遮蔽部材３ａは円形に限らず多角形形状の板状部材であっても良い。
【００６７】
同様に光治療器１ａを構成する光遮蔽部材３ａとして、図６の（ｅ）に示すような、平面視で矩形状であり、かつ角部が弧を描く半円状の板状部材であっても良い。光遮蔽部材３ａは、第１光遮蔽部３１ｅ、第２光遮蔽部３２ｅ、第３光遮蔽部３３ｅ及び第４光遮蔽部３４ｅで構成されている。第１〜第４光遮蔽部３１ｅ・３２ｅ・３３ｅ・３４ｅは、少なくとも１つの半円状の角部が形成されており、光照射モジュール２から容易に剥がし取ることを可能とする。又、意図的に該角部の接着力を弱めて形成しておけば、第１〜第４光遮蔽部３１ｅ・３２ｅ・３３ｅ・３４ｅを剥がし取るための部位として該角部を指定することも可能である。
【００６８】
尚、光遮蔽部材３ａの形状、及び当該光遮蔽部材３ａに形成される開口部９の形状は、上記の各例に限られない。光遮蔽部材３ａ及び上記開口部９の形状は、患部８の形状に適合するように上記の各例を組み合わせて形成することができ、その結果、様々な開口パターンを選択的に作ることができる。
【００６９】
〔実施形態３〕
本発明の他の実施形態について、図７〜１０に基づいて説明すれば、以下の通りである。尚、説明の便宜上、上記実施形態にて説明した部材と同じ機能を有する部材については、同じ符号を付記し、その説明を省略する。又、本実施形態では、実施形態１及び２との相違点、特に光治療器１ｂの構成、及び光遮蔽部材３ｂの形状について説明する。
【００７０】
＜光治療器の構成＞
図７〜図１０を参照して、本発明の実施形態３に係る光治療器１ｂの構成について説明する。図７は、光治療器１ｂの表面の構成を示す模式図である。図８は、光治療器１ｂの裏面の構成を示す模式図である。図９は、光治療器１ｂの構成の第１例を示す断面模式図である。図１０は、光治療器１ｂの構成の第２例を示す断面模式図である。尚、光治療器１ｂの電源部５は図示しない。又、図９及び図１０は、図７に示す光治療器１ｂのＢ−Ｂ’線の断面図に相当する。図７に示すように、光治療器１ｂは、光照射モジュール２と、電源部５に接続するための入力コネクタ４１と、入力線４とを備えている。
【００７１】
図７〜図１０に示すように、光遮蔽部材３ｂの外形は光照射モジュール２のそれよりも大きくなるように構成されている。又、第４光遮蔽部３４ｂは、光照射モジュール２の側面を覆うようになっている。つまり、光遮蔽部材３ｂの光照射モジュール２と接する側は、接着性を有することが必要となる。尚、光遮蔽部材３ｂと接する光照射モジュール２の部分に接着性を有しても良いし、前二者両方に接着性を有しても良い。あるいは、接着性を持たせるための部材として、既知のテープ等を使用することも可能である。
【００７２】
図９に示すような、光照射モジュール２、光遮蔽部材３ｂが四角形状となっている光治療器１ｂの構成の一例では、最外側の第４光遮蔽部３４ｂの端部３４ｂ−１が光照射モジュール２の端部２ａから突出しているが、それに限るものでは無い。又、図１０で示すように、光治療器１ｂの構成の他の例として、第４光遮蔽部３４ｂは、光照射モジュール２の側面に接着させ光が漏れないように形成されていても良い。
【００７３】
本実施形態に係る光治療器１ｂによれば、患部８以外の正常部位、特に眼に対してＬＥＤ光が照射されることの防止が可能であることはもちろん、医療従事者の身体７（特に眼：図１２等参照）へのＬＥＤ光照射防止も可能となる。又、光治療を施す際、通常であればＬＥＤ光を遮蔽するための保護具（例えば保護眼鏡）を別途用意する必要があるが、本実施形態に係る光治療器１ｂを使用することにより、上記保護具が不要となる。
【００７４】
〔実施形態４〕
本発明の他の実施形態について、図１１〜１３に基づいて説明すれば、以下の通りである。尚、説明の便宜上、上記実施形態にて説明した部材と同じ機能を有する部材については、同じ符号を付記し、その説明を省略する。又、本実施形態では、実施形態１、２及び３との相違点、特に光治療器１ｃの構成、及び光遮蔽部材３ｃの形状、及び本実施形態に係る光治療器１ｃの使用方法について説明する。
【００７５】
＜光治療器の構成＞
まず、図１１を参照して、本発明の実施形態４に係る光治療器１ｃの構成について説明する。図１１は、光治療器１ｃの構成を示す断面模式図である。図１１に示すように、光遮蔽部材３ｃは、第４光遮蔽部３４ｃの端部３４ｃ−１によって、光照射モジュール２の側面だけでなく裏面の一部をも覆っている。尚、光照射モジュール２、光遮蔽部材３ｃが四角形状である本例においては、最外側の第４光遮蔽部３４ｃがはみ出しているが、それに限るものでは無い。
【００７６】
又、光遮蔽部材３ｃの一部分を光透過性材料又はメッシュ状にすることにより、光遮蔽部材３ｃは、光照射モジュール２が点灯していることを示す、インジケータの役割をも果たすことができる。光遮蔽部材３ｃがインジケータの役割を果たすことにより、減光された光照射の動作状況を視認できるため、光治療器１ｃの取り扱いが容易になる。換言すれば、光遮蔽部材３ｃによって光照射モジュール２が点灯していることを視認できるため、光治療中に患者や医師は光照射が動作している状況で光源に触れたり、光源の位置を動かすなどのリスクを低減させることができる。
【００７７】
＜光治療器の使用方法の一例＞
次に、図１２を参照して、光治療器１ｃの使用方法の一例について説明する。図１２の（ａ）〜（ｆ）は、光治療器１ｃの使用方法の第１例を示す説明図である。尚、光治療器１・１ａ・１ｂ、及び後述の実施形態５に係る光治療器１ｄの各使用方法ついては、光治療器１ｃの使用方法と同様であるため、その説明を省略する。又、説明の簡便化の為、本実施形態では、患部８の平坦な面に対して光治療器１を装着する場合を例に挙げて説明する。
【００７８】
（ＳＴＥＰ１；開封）
まず、図１２の（ａ）に示すように、滅菌済の光治療器１ｃを滅菌袋６から取り出す。ここで、光照射モジュール２の表面、側面及び裏面には光遮蔽部材３ｃが貼られており、該光遮蔽部材３ｃの裏面には第５保護フィルム７５が貼られている。又、図１２（ｂ）に示すように、光照射モジュール２の表面に位置する第１〜第４光遮蔽部３１ｃ・３２ｃ・３３ｃ・３４ｃには、それぞれ第１保護フィルム７１、第２保護フィルム７２、第３保護フィルム７３、第４保護フィルム７４が対応し、これら４つの保護フィルムは光遮蔽部材３ｃに固定されている。
【００７９】
（ＳＴＥＰ２；開口部９の形成）
次に、図１２の（ｃ）に示すように、患部８の外形より大きく、照射領域外を最小とする開口部９を形成する為、第１保護フィルム７１と第１光遮蔽部３１ｃを光照射モジュール２から剥がし取り、順次第２保護フィルム７２と第２光遮蔽部３２ｃを、光照射モジュール２から剥がし取る。該開口部９の形成において、各保護フィルム及び各光遮蔽部を剥がし取る部位は、患部８の外形サイズに応じて目視で行う作業となる。又、本作業では光照射モジュール２の裏面の第５保護フィルム７５は、本作業の完了まで取り外さないことが望ましい。
【００８０】
（ＳＴＥＰ３；照射対象生物への取り付け準備）
次に、図１２の（ｄ）に示すように、第３保護フィルム７３、第４保護フィルム７４を第３光遮蔽部３３ｃ、第４光遮蔽部３４ｃから剥がし取る。第４保護フィルム７４は第４光遮蔽部３４ｃより突出した部分を形成することにより剥がし取りを容易にすることも可能であり、先に第３保護フィルム７３を剥がし、次に第４保護フィルム７４を剥がし取る。尚、上記各保護フィルムの取り外し順序は一例であり、この順序に限定されない。
【００８１】
（ＳＴＥＰ４；照射対象生物への取り付け）
次に、図１２の（ｅ）に示すように、患部８が第３光遮蔽部３３ｃに取り囲まれるよう、身体７に光治療器１ｃを取り付ける。第３光遮蔽部３３ｃ、第４光遮蔽部３４ｃは身体７に密着していることが望ましい。又、光治療器１ｃの身体７への固定をより確実にするためには、光遮蔽部材３ｃの表面が接着性を有していることが望ましい。
【００８２】
（ＳＴＥＰ５；準備完了）
次に、図１２の（ｆ）に示すように、第５保護フィルム７５を剥がし取る。以上の作業により、光治療器１ｃの身体７への取り付けは完了する。次に、図示しないものの、光照射モジュール２に接続されている入力線４を電源部５に接続する。尚、入力線４は、図７及び図８に示す入力コネクタ４１によって電源部５に接続されても良い。
【００８３】
上記の各手順を踏むことにより、患部８の形状を目視しながら該形状に対応する所定の開口部９を決定・形成し、光治療を開始することができる。
【００８４】
＜光治療器の使用方法の他の例＞
次に、図１３を参照して、光治療器１ｃの使用方法の他の例について説明する。図１３の（ａ）〜（ｈ）は、光治療器１ｃの使用方法の第２例を示す説明図である。
【００８５】
（ＳＴＥＰ１；開封）
まず、図１３の（ａ）及び（ｂ）に示すように、滅菌済の光遮蔽部材３ｃ及び光照射モジュール２を滅菌袋６から取り出す。ここで、光遮蔽部材３ｃ及び光照射モジュール２は、それぞれ別の滅菌袋６に収められている。光遮蔽部材３ｃの表面には、第６保護フィルム７６が、裏面には、第１保護フィルム７１、第２保護フィルム７２、第３保護フィルム７３、第４保護フィルム７４が貼られている。又、光照射モジュール２の表面には、第７保護フィルム７７が、裏面には、第８保護フィルム７８が貼られている。 
（ＳＴＥＰ２；保護フィルムの除去）
次に、図１３の（ｃ）に示すように、光遮蔽部材３ｃの表面上の第６保護フィルム７６を指などで剥がし取る。尚、第６保護フィルム７６の端部について、第４光遮蔽部３４ｃの端部よりも突出するように形成されていると、第６保護フィルム７６を取り除き易いため、望ましい。
【００８６】
（ＳＴＥＰ３・４；光遮蔽部材の照射対象生物への貼り付け、及び患部形状に合わせた開口部９の形成）
次に、図１３の（ｄ）に示すように、光遮蔽部材３ｃを照射対象生物の身体７に貼り付ける。そして、図１３の（ｅ）に示すように、患部８の外形より大きく、最小となる開口部９を形成する為、目視しながら第１保護フィルム７１及び第１光遮蔽部３１ｃを光照射モジュール２から剥がし取り、次に第２保護フィルム７２及び第２光遮蔽部３２ｃを剥がし取る。
【００８７】
（ＳＴＥＰ５；光照射モジュールの光遮蔽部材への取り付け準備）
次に、図１３の（ｆ）に示すように、光照射モジュール２から該光照射モジュール２の表面に取り付けられている第７保護フィルム７７を剥がし取る。引き続き、第３保護フィルム７３、第４保護フィルム７４を第３光遮蔽部３３ｃ、第４光遮蔽部３４ｃから剥がし取る。この剥がし取りの際、先に第３保護フィルム７３を剥がし取り、次に、第４光遮蔽部３４ｃよりも外形が大きく形成されている第４保護フィルム７４を取り除くことが望ましい。
【００８８】
（ＳＴＥＰ６；光照射モジュールの光遮蔽部材への取り付け）
次に、図１３の（ｇ）に示すように、光遮蔽部材３ｃに光照射モジュール２を取り付ける。その際、光遮蔽部材３ｃに、光照射モジュール２の取り付け場所を示すマーキング等を付すことも可能である。又、光照射モジュール２の略中心と、光遮蔽部材３ｃの略中心を合わせることにより、光照射モジュール２の光遮蔽部材３ｃへの取り付けをより正確に行うことができる。
【００８９】
（ＳＴＥＰ７；準備完了）
次に、図１３の（ｈ）に示すように、第４光遮蔽部３４ｃを光照射モジュール２の側面及び裏面に回り込ませて、貼り合わせる。光治療器１ｃをこのように使用することにより、上記ＳＴＥＰ４において光遮蔽部材３ｃを通して患部８を視認することができるため、より簡易、かつより確実にＬＥＤ光を患部８に照射することができる。
【００９０】
〔実施形態５〕
本発明の他の実施形態について、図１４に基づいて説明すれば、以下の通りである。尚、説明の便宜上、上記実施形態にて説明した部材と同じ機能を有する部材については、同じ符号を付記し、その説明を省略する。又、本実施形態では、実施形態１〜４との相違点、特に光治療器１ｄの形状について説明する。
【００９１】
＜光治療器の構成＞
まず、図１４を参照して、本発明の実施形態５に係る光治療器１ｄの構成について説明する。図１１は、光治療器１ｄの構成を示す断面模式図である。図１４に示すように、光遮蔽部材３ｄは、第４光遮蔽部３４ｄによって光照射モジュール２の側面だけでなく、裏面の全体を覆っている。尚、光照射モジュール２、光遮蔽部材３ｄが四角形状である本例においては、最外側の第４光遮蔽部３４ｄがはみ出しているが、それに限るものでは無い。
【００９２】
第４光遮蔽部３４ｄの放熱性が低い場合、光照射モジュール２の発する熱が外に発散されにくくなることが予想される。そこで、照射対象生物と接触することがない、光照射モジュール２の裏面に貼り付けられた第４光遮蔽部３４ｄについては、放熱性が高い材料で形成することにより、光照射モジュール２の発する熱が大気に放出されるようにしても良い。
【００９３】
又、光遮蔽部材３ｄの厚さは一様である必要は無く、更には一様な材料である必要も無い。又、実施形態４と同じく、第４光遮蔽部３４ｄの一部分を光透過性材料又はメッシュ状にすることにより、第４光遮蔽部３４ｄに、光照射モジュール２が点灯しているかを示すインジケータの役割を与えても良い。
【００９４】
このように、本実施形態に係る光治療器１ｄによれば、光遮蔽部材３ｄによって光照射モジュール２の全体が覆われていることから、実施形態４に係る光治療器１ｃと比べても、照射対象生物が光照射モジュール２に触る可能性をより低減させることができる。
【００９５】
〔実施形態６〕
本発明の他の実施形態について、図１５に基づいて説明すれば、以下の通りである。尚、説明の便宜上、上記実施形態にて説明した部材と同じ機能を有する部材については、同じ符号を付記し、その説明を省略する。又、本実施形態では、実施形態１〜５との相違点、特に光治療器１ｅの形状について説明する。本実施形態に係る光治療器１ｅは、光遮蔽部材３ｅの表面に装着感知センサ１０（センサ）を備えている点が、他の実施形態に係る光治療器と異なる。
【００９６】
＜光治療器の構成＞
図１５を参照して、本発明の実施形態６に係る光治療器１ｅの構成について説明する。図１５は、光治療器１ｅの構成を示す模式図である。光遮蔽部材３ｅは、第３光遮蔽部３３ｅに装着感知センサ１０を備えた構成となっており、図１３の（ｈ）で示した光遮蔽部材３ｃの第３光遮蔽部３３ｃに、装着感知センサ１０が接続されたものと同等の構成となる。
【００９７】
装着感知センサ１０は、光遮蔽部材３eと身体７とが密着していることを目視のみならず、外部から確認するものであり、感圧センサ、テープスイッチ、タッチセンサ、距離センサ等、光治療器１ｅが照射対象生物の身体７におけるいずれかの部位に装着されたことを感知するためのセンサであれば良い。
【００９８】
電源部５は電源制御部５１と電流供給部５２とで構成されており、入力線４によって光照射モジュール２と接続されている。又、装着感知センサ１０は、出力線１１によって電源制御部５１と接続されている。
【００９９】
装着感知センサ１０の出力信号が、出力線１１を通じて電源制御部５１に送信され、該出力信号を受信した電源制御部５１は、該出力信号の情報に基づいて電流供給部５２を制御する。例えば、装着感知センサ１０が身体７に密着した状況で検知される圧力を電流に変換し、電源制御部５１は、該電流値が予め設定された閾値を超えた場合に電流供給部５２を動作させることにより、電流供給部５２の導通制御が行われる。又、電流供給部５２は、電源制御部５１の制御信号に基づき、入力線４を通して光照射モジュール２に電流を供給する。
【０１００】
尚、光治療器１ｅの操作者、例えば医療従事者が閾値を設定できるようにしても良い。又、装着感知センサ１０の出力信号を、無線で飛ばしても良い。無線で飛ばすことによって、照射対象生物を長時間拘束される負担から解放することができる。
【０１０１】
このように、光治療器１ｅが装着感知センサ１０を備えることにより、光治療器１ｅが身体７に装着されていることを電気的に感知することができる。したがって、光治療器１ｅが身体７に装着されていない、もしくは不完全に装着されている状態で光照射モジュール２から発せられた光（治療光）が患部８に照射されることを低減させることができる。それゆえ、光治療効果の不確実性を低減することが可能となり、かつ、光治療の安全性をより高めることができる。
【０１０２】
〔実施形態７〕
本発明の他の実施形態について、図１６に基づいて説明すれば、以下の通りである。尚、説明の便宜上、上記実施形態にて説明した部材と同じ機能を有する部材については、同じ符号を付記し、その説明を省略する。又、本実施形態では、実施形態１〜６との相違点、特に光遮蔽部材３ｆの形状について説明する。
【０１０３】
＜光遮蔽部材の形状例＞
図１６を参照して、本発明の実施形態６に係る光治療器１ｆを構成する、光遮蔽部材３ｆの形状例について説明する。図１６は、光遮蔽部材３ｆの構成を示す断面模式図である。図１６に示すように、光遮蔽部材３ｆは、第１〜第４光遮蔽部３１ｆ・３２ｆ・３３ｆ・３４ｆと、第１〜第４保護フィルム７１ｆ・７２ｆ・７３ｆ・７４ｆとで構成されている。
【０１０４】
第１光遮蔽部３１ｆには第１保護フィルム７１ｆが固定されている。同様に、第２光遮蔽部３２ｆと第２保護フィルム７２ｆ、第３光遮蔽部３３ｆと第３保護フィルム７３ｆ、第４光遮蔽部３４ｆと第４保護フィルム７４ｆとがそれぞれ対応し、固定されている。又、光遮蔽部材３ｆには、予め、該光遮蔽部材３ｆの略中心に患部８の位置を視認するための孔１２が形成されている。
【０１０５】
このように、本実施形態に係る光治療器１ｆによれば、患部８の略中心に光遮蔽部材３ｆの略中心を合わせることが可能となることから、患部８に最適な大きさ・形状の開口部９を、より正確に形成することができる。
【０１０６】
〔実施形態８〕
本発明の他の実施形態について、図２１に基づいて説明すれば、以下の通りである。尚、説明の便宜上、上記実施形態にて説明した部材と同じ機能を有する部材については、同じ符号を付記し、その説明を省略する。又、本実施形態では、実施形態１〜７との相違点、特に光遮蔽部材３ｇの形状について説明する。
【０１０７】
図２１に示すように、光遮蔽部材３ｇは、本実施形態に係る光治療器１ｇに備えられており、光遮蔽部材３ｇの一部には、一対のフック型面ファスナ１９ａおよび一対のループ型面ファスナ１９ｂが設けられている。又、一対のフック型面ファスナ１９ａおよび一対のループ型面ファスナ１９ｂは、光照射モジュール２の表面側と裏面側とに分かれており、表面側には一対のフック型面ファスナ１９ａが配置され、裏面側には一対のループ型面ファスナ１９ｂが配置されている。
【０１０８】
フック型面ファスナ１９ａとループ型面ファスナ１９ｂとを接着させることにより、光照射モジュール２および光遮蔽部材３ｇを容易に位置決めし、かつ固定することができる。また、光照射モジュール２を患部８（図２１において不図示）の形状に合わせて曲げた場合でも、光照射モジュール２の側面から照射される光を効率よく遮蔽することができる。
【０１０９】
〔実施形態９〕
本発明の他の実施形態について、図２２に基づいて説明すれば、以下の通りである。尚、説明の便宜上、上記実施形態にて説明した部材と同じ機能を有する部材については、同じ符号を付記し、その説明を省略する。又、本実施形態では、実施形態１〜８との相違点、特に光遮蔽部材３ｈの形状について説明する。
【０１１０】
図２２に示すように、光遮蔽部材３ｈは、本実施形態に係る光治療器１ｈに備えられており、第４光遮蔽部３４の一部の部位には接着部３７が設けられている。この接着部３７を設けることにより、互いに対向する２つの第４光遮蔽部３４同士を貼り付けるだけで、光照射モジュール２および光遮蔽部材３ｈを容易に位置決めし、かつ固定することができるだけでなく、光照射モジュール２から照射される光を遮蔽することができる。
【０１１１】
なお、接着部３７が設けられる箇所は第４光遮蔽部３４の一部の部位に限定されず、光照射モジュール２および光遮蔽部材３ｈを容易に位置決め等できるのであればどの箇所に設けられても良い。また、接着部３７の個数も限定されない。
【０１１２】
〔実施形態１０〕
本発明の他の実施形態について、図２３に基づいて説明すれば、以下の通りである。尚、説明の便宜上、上記実施形態にて説明した部材と同じ機能を有する部材については、同じ符号を付記し、その説明を省略する。又、本実施形態では、実施形態１〜９との相違点、特に光遮蔽部材３ｉの形状について説明する。
【０１１３】
図２３に示すように、光遮蔽部材３ｉは、本実施形態に係る光治療器１ｉに備えられており、一方の第４光遮蔽部３４の一部の部位にはフック型面ファスナ１９ａが設けられ、他方の第４光遮蔽部３４の一部の部位にはループ型面ファスナ１９ｂが設けられている。又、フック型面ファスナ１９ａとループ型面ファスナ１９ｂとは互いに対向しており、フック型面ファスナ１９ａとループ型面ファスナ１９ｂとが接着することにより、面ファスナが形成されている。
【０１１４】
上記の面ファスナが形成されることにより、光照射モジュール２から照射される光を簡易に遮蔽することができる。また、光遮蔽部材３ｉに対する光照射モジュール２の相対的位置を固定化することができる。
【０１１５】
なお、フック型面ファスナ１９ａとループ型面ファスナ１９ｂとで形成される面ファスナの配置箇所は第４光遮蔽部３４の一部の部位に限定されず、光照射モジュール２の搭載箇所以外であれば、どの箇所に配置されても良い。また、上記面ファスナの個数も限定されない。
【０１１６】
〔実施形態１１〕
本発明の他の実施形態について、図２４〜図２６に基づいて説明すれば、以下の通りである。尚、説明の便宜上、上記実施形態にて説明した部材と同じ機能を有する部材については、同じ符号を付記し、その説明を省略する。又、本実施形態では、実施形態１〜１０との相違点、特に光遮蔽部材３ｊの形状について説明する。
【０１１７】
図２４に示すように、光遮蔽部材３ｊは、本実施形態に係る光治療器１ｊに備えられており、第４光遮蔽部３４が第１光遮蔽部位３４１と第２光遮蔽部位３４２とで構成されている。第１光遮蔽部位３４１は光照射モジュール２の表面側に配置されており、第２光遮蔽部位３４２は裏面側に配置されている。
【０１１８】
第１光遮蔽部位３４１における第２光遮蔽部位３４２と対向する面、および第２光遮蔽部位３４２における第１光遮蔽部位３４１と対向する面のそれぞれには、接着部３７が設けられている。この２つの接着部３７を接触させることにより、第１光遮蔽部位３４１と第２光遮蔽部位３４２とを貼り合わせることができる。
【０１１９】
このように、第２光遮蔽部位３４２および第１光遮蔽部位３４１のそれぞれに接着部３７を設けることにより、光照射モジュール２の側面から照射される光に対する光遮蔽部材３ｊの光遮蔽性をより向上させることができる。
【０１２０】
なお、接着部３７は、第１光遮蔽部位３４１における第２光遮蔽部位３４２と対向する面にのみ設けられていても良いし、第２光遮蔽部位３４２における第１光遮蔽部位３４１と対向する面にのみ設けられていても良い。
【０１２１】
＜変形例＞
本実施形態に係る光治療器１ｊは、第１光遮蔽部位３４１と第２光遮蔽部位３４２とが貼り付けられた状態において、第１光遮蔽部位３４１と第２光遮蔽部位３４２との間に一部空間が形成されていても良い。この空間を、例えば図２５に示すように光照射モジュール２の側面側に形成することにより、光照射モジュール２が発する熱を当該空間から光治療器１ｊの外部に放出することが可能となる。これにより、光治療器１ｊの信頼性を向上させることができる。この空間に、空気以外（例えば、冷却ジェル）を封入することで、光照射モジュール２の冷却を図っても良い。
【０１２２】
また、本実施形態に係る光治療器１ｊは、図２６に示すように、第１光遮蔽部位３４１と第２光遮蔽部位３４２との間に一部空間が形成されているとともに、接着部３７に代えて、第１光遮蔽部位３４１側に一対のフック型面ファスナ１９ａが設けられ、第２光遮蔽部位３４２側に一対のループ型面ファスナ１９ｂが設けられても良い。
【０１２３】
このような構成とすることにより、フック型面ファスナ１９ａとループ型面ファスナ１９ｂとで構成される面ファスナによって光照射モジュール２から照射される光を簡易に遮蔽することができる。また、光遮蔽部材３ｊに対する光照射モジュール２の相対的位置を固定化することができる。
【０１２４】
〔まとめ〕
本発明の態様１に係る光照射器（光治療器１、１ａ〜１ｊ）は、照射対象生物の皮膚における特定の領域（患部８）に光を照射するための光照射器であって、前記皮膚に前記光を照射する光源と、前記皮膚と前記光源との間に配置されることにより、前記皮膚における前記特定の領域以外の領域を前記光から遮蔽する光遮蔽部材（３、３ａ〜３ｊ）と、前記光源及び前記光遮蔽部材が搭載された、可撓性を有する基台と、を備えており、前記光遮蔽部材には、前記特定の領域に対応した開口部（９）を形成することが可能であり、前記光は、前記開口部（９）を通過して前記特定の領域に照射される。
【０１２５】
上記構成によれば、光源から放射された光は、照射対象生物の皮膚における特定の領域のみに照射され、該特定の領域以外の領域は光遮蔽部材によって上記光から遮蔽される。また、上記光の通過経路となる光遮蔽部材の開口部（９）は、上記特定の領域に対応して形成することが可能である。それゆえ、本発明の一態様に係る光照射器は、光照射を意図する所望の領域以外の領域への光照射を防止しつつ、該所望の領域への光照射を確実に行うことができる。
【０１２６】
又、上記構成によれば、上記所望の領域以外の領域に光が照射されることによって該所望の領域以外の領域に種々の副作用が生じる虞が低減されることから、光照射を意図する所望の領域への光照射を安全に行うことができる。
【０１２７】
更に、上記構成によれば、光源及び光遮蔽部材が可撓性を有する基台に搭載されている。したがって、例えば人の腕又は脚等の湾曲した表面を有する部位に光を照射する場合でも、該部位の形状に応じて基台を変形させることにより、光源及び光遮蔽部材を上記部位の近傍に容易に配置することができる。それゆえ、本発明の一態様に係る光照射器は、光照射を意図する所望の領域への光照射を簡易に行うことができる。
【０１２８】
本発明の態様２に係る光照射器は、上記態様１において、前記光源は、面発光光源である。
【０１２９】
本発明の態様３に係る光照射器は、上記態様１又は２において、前記基台上には、前記光源として、ＬＥＤチップ（１４）が平面視で格子状に形成されている。
【０１３０】
本発明の態様４に係る光照射器（１ｂ、１ｃ、１ｄ、１ｅ）は、上記態様１から３のいずれかにおいて、前記光源と前記基台とが一体となって光照射モジュール（２）を形成しており、前記光遮蔽部材（３ｂ、３ｃ、３ｄ、３ｅ）の端部が、前記光照射モジュールの端部から突出している。
【０１３１】
上記構成によれば、光源と基台とが一体となっていない場合と比べて、光遮蔽部材によってより確実に、光から皮膚を遮蔽することができる。又、光遮蔽部材の端部によって、光照射モジュールの端部から漏れ出る光が遮断される。それゆえ、光照射を意図する所望の領域以外の領域に光が照射されることを、より確実に防止することができる。
【０１３２】
本発明の態様５に係る光照射器は、上記態様４において、前記光照射モジュールの側面が、前記光遮蔽部材の端部によって覆われている。上記構成によれば、光遮蔽部材の端部によって、光照射モジュールの端部から漏れ出る光のみならず、該光照射モジュールの側面から漏れ出る光をも遮蔽することができる。それゆえ、光照射を意図する所望の領域以外の領域に光が照射されることを、より確実・効果的に防止することができる。
【０１３３】
本発明の態様６に係る光照射器は、上記態様４又は５において、前記光照射モジュールの裏面が、前記光遮蔽部材の一部によって覆われている。
【０１３４】
本発明の態様７に係る光照射器は、上記態様１から６のいずれかにおいて、前記光遮蔽部材に前記光源から照射された前記光が入射した場合において、透過光が入射光の３０％未満である。
【０１３５】
本発明の態様８に係る光照射器（１ｅ）は、上記態様１から７のいずれかにおいて、前記光照射器が前記照射対象生物の身体（７）におけるいずれかの部位に装着されたことを感知するためのセンサ（装着感知センサ１０）を更に備えており、前記センサは、前記光遮蔽部材（３ｅ）における前記皮膚と対向する面の少なくとも一部に配置されている。
【０１３６】
上記構成によれば、本発明の一態様に係る光照射器が照射対象生物の身体におけるいずれかの部位に装着されれば、センサは上記部位の皮膚に接触することとなる。したがって、本発明の一態様に係る光照射器が上記部位に装着されたことをセンサによって確実に感知することができ、上記光照射器が装着されていない状態、あるいは不完全に装着されている状態で光照射が行われることを防止することができる。それゆえ、本発明の一態様に係る光照射器は、光照射の効果を安定的に得ることができるとともに、意図しない部位の皮膚への光照射が低減され、光照射をより安全に行うことができる。
【０１３７】
本発明の態様９に係る光照射器（光治療器１、１ａ〜１ｊ）は、上記態様１から８のいずれかにおいて、前記光遮蔽部材（３、３ａ〜３ｊ）は、絶縁性を有する。
【０１３８】
本発明の態様１０に係る光照射器（光治療器１ｃ）は、上記態様１から９のいずれかにおいて、前記光遮蔽部材（３ｃ）の一部が、前記光源から照射された前記光に対して透過性を有する材料で形成されていること、又はメッシュ状である。
【０１３９】
本発明の態様１１に係る光照射器（光治療器１ｆ）は、上記態様１から１０のいずれかにおいて、前記光遮蔽部材（３ｆ）には、前記特定の領域を視認するための孔（１２）が形成されている。
【０１４０】
本発明の態様１２に係る光照射器（光治療器１、１ａ〜１ｊ）は、上記態様１から１１のいずれかにおいて、前記光遮蔽部材（３、３ａ〜３ｊ）は、少なくとも光遮蔽材および接着材から構成されており、前記光遮蔽材の厚さが、接着材の厚さよりも厚い。
【０１４１】
本発明の態様１３に係る光照射器は、上記態様１から１２のいずれかにおいて、前記光遮蔽部材と前記光源との間には、接着材（３６）又はフィルム状の部材が設けられており、前記接着材および前記フィルム状の部材のそれぞれは、透明である。
【０１４２】
本発明の態様１４に係る光照射器（光治療器１ｆ）は、上記態様１から１３のいずれかにおいて、前記光遮蔽部材（３ｆ）には、前記光遮蔽部材と前記皮膚とが接触していることを確認することができる装着感知センサ（１０）が備えられている。
【０１４３】
本発明の態様１５に係る光照射器（光治療器１ｇ、１ｉ、１ｊ）は、上記態様１から１４のいずれかにおいて、前記光遮蔽部材（３ｇ、３ｉ、３ｊ）の一部には、面ファスナ（フック型面ファスナ１９ａ、ループ型面ファスナ１９ｂ）が形成されている。
【０１４４】
本発明の態様１６に係る光遮蔽部材（３、３ａ〜３ｊ）は、照射対象生物の皮膚と、前記皮膚に光を照射する光源との間に配置されることにより、前記皮膚における特定の領域以外の領域を前記光から遮蔽するための光遮蔽部材であって、前記光遮蔽部材には、該光遮蔽部材から取り外すことが可能な、２つ以上の取り外し部（第１光遮蔽部３１〜３４）が形成されており、前記２つ以上の取り外し部のうち、いずれか１つ以上の取り外し部を前記光遮蔽部材から取り外すことによって、前記特定の領域に対応した開口部（９）が形成される。
【０１４５】
上記構成によれば、本発明の一態様に係る光遮蔽部材は、光照射を意図する所望の領域の大きさ・形状に応じて、適宜、いずれか１つ以上の取り外し部を該光遮蔽部材から取り外して、上記所望の領域に対応した開口部を形成することができる。それゆえ、本発明の一態様に係る光遮蔽部材を照射対象生物の皮膚における所望の領域への光照射に使用することで、該所望の領域以外の領域への光照射を防止しつつ、上記所望の領域への光照射を確実に行うことができる。
【０１４６】
本発明の態様１７に係る光遮蔽部材は、上記態様１６において、絶縁性を有する。
【０１４７】
本発明の態様１８に係る光遮蔽部材（３ｃ）は、上記態様１６又は１７において、前記光遮蔽部材の一部が、前記光源から照射された前記光に対して透過性を有する材料で形成されていること、又はメッシュ状である。
【０１４８】
本発明の態様１９に係る光遮蔽部材（３ｆ）は、上記態様１６から１８のいずれかにおいて、前記光遮蔽部材には、前記特定の領域を視認するための孔（１２）が形成されている。上記構成によれば、本発明の一態様に係る光遮蔽部材に形成された孔を視認して、光照射を意図する所望の領域が存在する位置を確認することで、開口部を、上記所望の領域が存在する位置により確実に形成することができる。それゆえ、本発明の一態様に係る光遮蔽部材を照射対象生物の皮膚における所望の領域への光照射に使用することで、該所望の領域への光照射をより確実に行うことができる。
【０１４９】
本発明の態様２０に係る光遮蔽部材（３、３ａ〜３ｊ）は、上記態様１６から１９のいずれかにおいて、少なくとも光遮蔽材および接着材から構成されており、前記光遮蔽材の厚さが、接着材の厚さよりも厚い。
【０１５０】
本発明の態様２１に係る光遮蔽部材は、上記態様１６から２０のいずれかにおいて、前記光遮蔽部材と前記光源との間には、接着材（３６）又はフィルム状の部材が設けられており、前記接着材および前記フィルム状の部材のそれぞれは、透明である。
【０１５１】
本発明の態様２２に係る光遮蔽部材（３ｆ）は、上記態様１６から２１のいずれかにおいて、前記光遮蔽部材と前記皮膚とが接触していることを確認することができる装着感知センサ（１０）が備えられている。
【０１５２】
本発明の態様２３に係る光遮蔽部材（３ｇ、３ｉ、３ｊ）は、上記態様１６から２２のいずれかにおいて、前記光遮蔽部材の一部には、面ファスナ（フック型面ファスナ１９ａ、ループ型面ファスナ１９ｂ）が形成されている。
【符号の説明】
【０１５３】
１、１ａ〜１ｊ          光治療器（光照射器）
２                      光照射モジュール
２ａ                  端部（光照射モジュールの端部）
３、３ａ〜３ｊ          光遮蔽部材
４                      入力線
５                      電源部
６                      滅菌袋
７                      身体
８                      患部（照射対象生物の皮膚における特定の領域）
９                      開口部
１０                    装着感知センサ（センサ）
１１                    出力線
１２                    孔
１３                    アクリル棒
１４                    ＬＥＤチップ（光源）
１５                    フレキシブル基板（基台）
１６                    配線
１７                    ＬＥＤ実装領域
１８                    保護樹脂
１９ａ                  フック型ファスナ
１９ｂ                  ループ型ファスナ
２０                    スペーサ
３１、３１ａ〜３１ｆ    第１光遮蔽部(取り外し部)
３２、３２ａ〜３２ｆ    第２光遮蔽部（取り外し部）
３３、３３ａ〜３３ｆ    第３光遮蔽部（取り外し部）
３４、３４ａ〜３４ｆ    第４光遮蔽部(取り外し部)
３４ｂ−１、３４ｃ−１  第４光遮蔽部の端部（光遮蔽部材の端部）
３５                    光遮蔽材
３６                    接着材
４１                    入力コネクタ
５１                    電源制御部
５２                    電流供給部
７１、７１ｆ            第１保護フィルム
７２、７２ｆ            第２保護フィルム
７３、７３ｆ            第３保護フィルム
７４，７４ｆ            第４保護フィルム
７５                    第５保護フィルム
７６                    第６保護フィルム
７７                    第７保護フィルム
７８                    第８保護フィルム
３４１                  第１光遮蔽部位
３４２                  第２光遮蔽部位
３５１                  第１光遮蔽材
３５２                  第２光遮蔽材
３５３                  第３光遮蔽材
３５４                  第４光遮蔽材
３６１                  第１接着材
３６２                  第２接着材
３６３                  第３接着材
３６４                  第４接着材
【図１】
0006706347.tif 000002
【図２】
0006706347.tif 000003
【図３】
0006706347.tif 000004
【図４】
0006706347.tif 000005
【図５】
0006706347.tif 000006
【図６】
0006706347.tif 000007
【図７】
0006706347.tif 000008
【図８】
0006706347.tif 000009
【図９】
0006706347.tif 000010
【図１０】
0006706347.tif 000011
【図１１】
0006706347.tif 000012
【図１２】
0006706347.tif 000013
【図１３】
0006706347.tif 000014
【図１４】
0006706347.tif 000015
【図１５】
0006706347.tif 000016
【図１６】
0006706347.tif 000017
【図１７】
0006706347.tif 000018
【図１８】
0006706347.tif 000019
【図１９】
0006706347.tif 000020
【図２０】
0006706347.tif 000021
【図２１】
0006706347.tif 000022
【図２２】
0006706347.tif 000023
【図２３】
0006706347.tif 000024
【図２４】
0006706347.tif 000025
【図２５】
0006706347.tif 000026
【図２６】
0006706347.tif 000027